(57)【特許請求の範囲】
【請求項１】
開閉方向に延在するガイドレールに取り付けられる被捕捉部材と、
開閉体に取り付けられ、前記ガイドレールに沿って前記開閉体と共に開閉方向へ移動し、前記被捕捉部材が取り付けられた所定の位置まで前記開閉体が移動したときに前記被捕捉部材を捕捉する捕捉引込機構とを備え、
前記捕捉引込機構には、前記被捕捉部材を捕捉したときに前記開閉体を強制的に開閉方向へと移動させるばねと、前記ばねの付勢力を緩衝する直動式のダンパーとが設けられ、
前記ダンパーのストローク方向が前記開閉体の開閉方向に向けられて、このストローク方向に２つ以上のダンパーが直列に配置されており、
前記捕捉引込機構には、前記被捕捉部材を捕捉するための第１ホルダーと第２ホルダー、および前記第１ホルダーと前記第２ホルダーとの間に位置し、前記捕捉引込機構内で開閉方向に移動可能な中間ホルダーが設けられ、前記中間ホルダーには、前記ダンパー、および前記ばねが１ユニットとして構成されていることを特徴とする開閉体緩衝装置。
【請求項２】
２つ以上の前記ダンパーは、それぞれストロークの同じものが使用されていることを特徴とする請求項１に記載の開閉体緩衝装置。
【請求項３】
前記被捕捉部材が前記ガイドレールの開側および閉側の両方に取り付けられ、前記捕捉引込機構には開側および閉側の前記被捕捉部材をそれぞれ捕捉して、前記開閉体を開方向または閉方向へと移動させることを特徴とする請求項１または請求項２に記載の開閉体緩衝装置。
【発明の詳細な説明】
【技術分野】
【０００１】
本発明は、引き戸や抽斗などの開閉体を、開き際に強制的に緩やかに開かせる一方、閉じ際に強制的に緩やかに閉じることができる開閉体緩衝装置に関する。
【背景技術】
【０００２】
開閉体緩衝装置は、例えば、建屋側のガイドレールに取り付けられ、このガイドレールの開側および閉側の両方にそれぞれ配設された２つの被捕捉部材と、引き戸側に取り付けられ、被捕捉部材を捕捉して引き戸を開方向または閉方向へ引き込むための捕捉引込機構とで構成されている。この捕捉引込機構は、ガイドレールの長手方向であって、引き戸の開閉方向に延在しており、その開側および閉側のそれぞれの端部には、それぞれの被捕捉部材と係合（捕捉）する捕捉部材（フック）が設けられている。
【０００３】
これらの開側および閉側の捕捉部材は、捕捉引込機構の内部で開閉方向にそれぞれスライド移動できるようになっている。また、開側および閉側の捕捉部材は、ばねによって開閉方向に連結されており、このばねのばね力によって互いに引き合うようになっている。さらに、開側および閉側の捕捉部材は、互いに引き合うばね力を緩衝するための直動式のダンパー（シリンダダンパー）によって連結されている。
【０００４】
このような構成を有する開閉体緩衝装置では、引き戸が閉側の所定の位置まで閉じられて閉側の捕捉部材が被捕捉部材を捕捉したときには、捕捉された閉側の被捕捉部材がばねの付勢力によって開側へ引き寄せられるようになる。これにより、引き戸は、その閉まり際に強制的に閉方向へと移動するようになる。
【０００５】
逆に、引き戸が開側の所定の位置まで開かれて開側の捕捉部材が被捕捉部材を捕捉したときには、ばねの付勢力によって、捕捉された開側の被捕捉部材が閉側へ引き寄せられるようになる。これにより、引き戸は、その開き際に強制的に開方向へと移動するようになる。
【０００６】
また、引き戸の開き際または閉じ際には、上述したダンパーがばねの付勢力を緩衝するので、引き戸は緩やかに開閉するようになる（例えば、特許文献１参照）。
【先行技術文献】
【特許文献】
【０００７】
【特許文献１】特開２０１３−１７０４１５号公報
【発明の概要】
【発明が解決しようとする課題】
【０００８】
このような開閉体緩衝装置が引き戸を引き込む長さは、捕捉引込機構が被捕捉部材を捕捉した位置から完全に引き戸が開く（閉じる）までの長さとなる。また、この引き込み長さは、上述したダンパーが緩衝することができる長さ（ダンパーストローク）よりも短く設定しなければならない。
【０００９】
一方、引き戸の用途や種類によっては、この引き込み長さを長く確保したい場合がある。そのためには、上述したダンパーの緩衝可能なストロークを長くしなければならず、ダンパー本体の径を一回り大きなものに変更しなければならない。そのため、捕捉引込機構の外形も一回り大きくなってしまうとともに、捕捉引込機構を内部に収容するガイドレールも外形（断面形状）を大きくしなければならない。その結果、引き込み長さ毎に異なる大きさのガイドレールを用意しなければならず、部品管理が煩わしくなってしまう。
【００１０】
また、ダンパー本体の径を変えずにストロークを長くすることも可能ではあるが、径方向への大きな圧力を小さな径で許容でき、かつ、長手方向のどの位置でも均一に圧力を許容するダンパーは高い精度が要求される。そのため、特注の高価なダンパーとなってしまい製品全体のコスト高になる。また、ストロークを長くするためにはダンパーロッドを長くしなければならないが、長いダンパーロッドは緩衝力によって座屈し易くなり、ダンパーの直動性を保つのが難しい。
【００１１】
さらに、ガイドレールは利用者から見える位置にあるため、ガイドレールの外形が大きいとガイドレールが外観上で目立ってしまい、引き戸全体の意匠性が損なわれてしまう。そのため、ガイドレールの外形を大きくするのは好ましくない。
【００１２】
本発明は、上述した事情を鑑みてなされたものであり、その目的は、引き込み長さを長くしたとしても、ガイドレールの外形を大きくすることがない開閉体緩衝装置を提供するためのものである。
【課題を解決するための手段】
【００１３】
上述した課題を解決するために、本発明は、開閉方向に延在するガイドレールに取り付けられる被捕捉部材と、開閉体に取り付けられ、前記ガイドレールに沿って前記開閉体と共に開閉方向へ移動し、前記被捕捉部材が取り付けられた所定の位置まで前記開閉体が移動したときに前記被捕捉部材を捕捉する捕捉引込機構とを備え、前記捕捉引込機構には、前記被捕捉部材を捕捉したときに前記開閉体を強制的に開閉方向へと移動させるばねと、前記ばねの付勢力を緩衝する直動式のダンパーとが設けられ、前記ダンパーのストローク方向が前記開閉体の開閉方向に向けられて、このストローク方向に２つ以上のダンパーが直列に配置されており、前記捕捉引込機構には、前記被捕捉部材を捕捉するための第１ホルダーと第２ホルダー、および前記第１ホルダーと前記第２ホルダーとの間に位置し、前記捕捉引込機構内で開閉方向に移動可能な中間ホルダーが設けられ、前記中間ホルダーには、前記ダンパー、および前記ばねが１ユニットとして構成されていることを特徴とする。
【００１６】
また、２つ以上の前記ダンパーは、それぞれストロークの同じものが使用されるようにすることができる。
【００１７】
さらに、前記被捕捉部材が前記ガイドレールの開側および閉側の両方に取り付けられ、前記捕捉引込機構には開側および閉側の前記被捕捉部材をそれぞれ捕捉して、前記引き戸を開方向または閉方向へと移動させるようにすることもできる。
【発明の効果】
【００１８】
本発明に係る開閉体緩衝装置では、直動式のダンパーのストローク方向が前記引き戸の開閉方向に向けられて、このストローク方向に２つ以上のダンパーが直列に配置されているので、引き戸の引き込み長さが短い開閉体緩衝装置で使用するダンパーを複数用いて製作することができる。そのため、使用するダンパーのストロークの和の分だけ、引き戸の引き込み長さを長くすることができる。
【００１９】
また、使用するダンパーの径方向の大きさは、引き込み長さの短いものと同じになるので、捕捉引込機構の長手方向の長さは長くなるが、径方向における外形は大きくならない。そのため、引き込み長さに関係なく、同じ大きさ（同じ断面形状）のガイドレールを使用することができる。その結果、複数種類のガイドレールを引き込み長さによって管理する必要がなく、部品の共通化を図れる。
【００２０】
さらに、従来と同じ大きさのガイドレールを使用できるので、ガイドレールを含めた引き戸装置全体の意匠性を損なうことなく、全体の美観をそのままにすることができる。
【図面の簡単な説明】
【００２１】
【図１】本発明に係る開閉体緩衝装置を備えた引き戸上部の正面図であって、引き戸が中間に位置する状態を示したものである。
【図２】図１の状態から引き戸を閉じた状態を示す正面図である。
【図３】図１の状態から引き戸を開いた状態を示す正面図である。
【図４】捕捉引込機構を単体で示したものであり、引き戸が中間に位置する状態（図１の状態）に対応する斜視図である。
【図５】捕捉引込機構を単体で示したものであり、引き戸を閉じた状態（図２の状態）に対応する斜視図である。
【図６】捕捉引込機構を右斜め上側から見た分解斜視図である。
【図７】中間ホルダーを単体で示したものであり、（Ａ）は右斜め上側から見た斜視図、（Ｂ）は左斜め上側から見た斜視図である。
【図８】中間ホルダーを単体で示したものであり、（Ａ）は左斜め下側から見た斜視図、（Ｂ）は右斜め下側から見た斜視図である。
【図９】第１変形例であって、ダンパーを３つ用いたものを示す斜視図である。
【図１０】第３変形例であって、２つのダンパーの向きを変えたものを示す斜視図である。
【発明を実施するための最良の形態】
【００２２】
以下、本発明の実施の形態に係る開閉体緩衝装置１０について、図面を用いて詳細に説明する。なお、本実施の形態では、開閉体緩衝装置１０を引き戸装置に使用したものについて説明する。
【００２３】
図１は、本発明に係る開閉体緩衝装置１０を備えた引き戸（開閉体）２の上部の正面図であって、引き戸２が開閉方向（紙面左右方向）における中間に位置する状態を示したものである。また、図２は、図１の状態から引き戸２を閉じた状態を示す正面図、図３は図１の状態から引き戸２を開いた状態を示す正面図である。
【００２４】
なお、以下の説明で使用する「戸閉側」とは、図１の左側をいうものとし、「戸開側」とは、図１の右側をいうものとする。
【００２５】
図１〜図３に示す引き戸装置は、建物の開口部の上縁部に沿って開閉方向に延在するガイドレール１と、このガイドレール１に沿って開閉方向へ移動することで開口部を開閉する引き戸２（開閉体）と、引き戸２の開き際または閉じ際に制動しつつ、この引き戸２を開位置または閉位置に誘導する開閉体緩衝装置１０とで構成されている。
【００２６】
この開閉体緩衝装置１０は、ガイドレール１の戸閉側に配設された被捕捉部材１１と、ガイドレール１の戸開側に配設された被捕捉部材１１と、このガイドレール１上を開閉方向に沿って走行可能な捕捉引込機構２０とで構成されている。
【００２７】
戸開側および戸閉側の２つの被捕捉部材１１は、図１に示すように、下側に向けて突出する２つの突部１１ａを有する形状にそれぞれ形成されている。これらの被捕捉部材１１は、捕捉引込機構２０の構造に合わせて、戸開側および戸閉側の所定の位置（引き戸２を開閉方向に誘導する位置）にそれぞれ取り付けられている。
【００２８】
捕捉引込機構２０は、下側が開口する断面コ字形状のガイドレール１の内方に収容されており、ガイドレール１の開閉方向に沿って移動可能に取り付けられている。より詳細には、捕捉引込機構２０には、その戸閉側と戸開側とのそれぞれにガイドローラ２１（図１〜図３において、戸閉側に４個、戸開側に２個）が設けられており、このガイドローラ２１がガイドレール１の転動部１ａ上を転動することによって、捕捉引込機構２０がガイドレール１の開閉方向に自由に移動できるようになっている。
【００２９】
また、捕捉引込機構２０の戸閉側には、詳細は後述する吊り下げ部３００が設けられている。この吊り下げ部３００には、引き戸２の一方の上端角部（図１の紙面左斜め上の角部）が取り付けられており、引き戸２を吊り下げる態様で支持している。
【００３０】
また、捕捉引込機構２０ではないが、引き戸２の右側の上端角部にも吊り下げ部５が取り付けられている。この吊り下げ部５には、引き戸２の他方の上端角部（図１の紙面右斜め上の角部）が取り付けられており、引き戸２を吊り下げる態様で支持している。これにより、引き戸２は、ガイドレール１の転動部１ａを転動可能なガイドローラ２１によって、開閉方向にスムーズに開閉するようになる。
【００３１】
図４は、捕捉引込機構を単体で示したものであり、引き戸が中間に位置する状態（図１の状態）に対応する斜視図、図５は、引き戸を閉じた状態（図２の状態）に対応する斜視図である。また、図６は、捕捉引込機構を右斜め上側から見た分解斜視図である。
【００３２】
捕捉引込機構２０は、図６に示すように、戸閉側に位置する第１キャッチ部１００と、戸開側に位置する第２キャッチ部１５０とが設けられている。この第１キャッチ部１００は、捕捉引込機構２０の内部で開閉方向にスライド移動できるようになっており、閉じ際の所定の位置で戸閉側の被捕捉部材１１の突部１１ａを捕捉する。また、第２キャッチ部１５０も捕捉引込機構２０の内部で開閉方向へスライド移動できるようになっており、開き際の所定の位置で戸開側の被捕捉部材１１の突部１１ａを捕捉する。
【００３３】
捕捉引込機構２０は、図１に示すように、引き戸２が開閉方向における中間に位置する状態では、第１キャッチ部１００および第２キャッチ部１５０が２つの被捕捉部材１１の間に位置する。この状態では、第１キャッチ部１００および第２キャッチ部１５０のいずれも被捕捉部材１１の突部１１ａを捕捉していない。すなわち、この状態では、捕捉引込機構２０は機能していない。この状態では、第１キャッチ部１００は、捕捉引込機構２０の本体側にロックされた状態で捕捉引込機構２０の前端側に位置し、第２キャッチ部１５０もロックされた状態で捕捉引込機構２０の後端側に位置する（図４参照）。
【００３４】
この図４の状態から引き戸２を戸閉側（図１の紙面左側）に移動させると、引き戸２の閉まり際に、上述したキャッチ部１００のロックが解除され、第１キャッチ部１００が戸閉側に位置する被捕捉部材１１を捕捉する。
この状態では、図５に示すように、第１キャッチ部１００が戸閉側の被捕捉部材１１を捕捉しながら、ばね２２６（図６参照）の力で戸開側（図５の矢印Ｌ１方向）に移動する。すなわち、捕捉引込機構２０は、捕捉した被捕捉部材１１を引き戸２側（図１の右側。戸開側）に引き寄せるように作用する。これにより、引き戸２は、相対的に閉じる方向（図１の左側）へと強制的に移動し、図２に示すように、引き戸２が戸閉側の戸当りと当接するまで完全に閉じられるようになる。なお、この閉じられた状態では、第２キャッチ部１５０はロックされた状態で、同じ位置に留まっている。
【００３５】
一方、図４の状態から引き戸２を戸開側（図１の紙面右側）に移動させると、戸閉側の動きと同様な手順で、引き戸２が完全に開くときの開き際に、上述したキャッチ部１５０のロックが解除され、第２キャッチ部１５０が戸開側に位置する被捕捉部材１１を捕捉する。
この状態（図示せず）では、第２キャッチ部１５０が戸開側の被捕捉部材１１を捕捉しながら、ばね２２６の力で戸閉側に移動する。すなわち、捕捉引込機構２０は、捕捉した被捕捉部材１１を引き戸２側（図１の左側）に引き寄せるように作用する。これにより、引き戸２は、相対的に開く方向（図１の右側）へと強制的に移動し、図３に示すように、引き戸２が戸開側の戸当たりと当接するまで完全に開かれるようになる。なお、この戸開状態では、第１キャッチ部１００はロックされた状態で、同じ位置に留まっている。
【００３６】
なお、捕捉引込機構２０が被捕捉部材１１の突部１１ａを捕捉する機構、第１キャッチ部１００および第２キャッチ部１５０が捕捉引込機構２０の内部で開閉方向にスライド移動できる構造、および、第１キャッチ部１００および第２キャッチ部１５０がロック／ロック解除される機構については既知であり（例えば、特許文献１参照）、その詳細な構造・動作・作用についての説明は省略する。
【００３７】
捕捉引込機構２０は、図４〜図６に示すように、２つのダンパー２２１が設けられている。このダンパー２２１は、ダンパーロッド２２１ａがダンパーシリンダ２２１ｂに対して伸縮する直動式タイプのものであり、ダンパーロッド２２１ａのストローク方向（伸縮方向）が引き戸２の開閉方向に沿うように向けられている。また、この２つのダンパー２２１は、ストローク方向に直列に配置されている。また、２つのダンパー２２１のストローク方向における軸線は、一致するようになっている。
【００３８】
このように配置することによって、図５に示すように、第１キャッチ部１００がスライド移動する長さＬ２（引き戸２を引き込む長さ）は、２つのダンパー２２１のダンパーロッド２２１ａがダンパーシリンダ２２１ｂに押し込まれる長さ（ダンパーストローク長さ）Ｌ２の合計となる。そのため、ダンパー２２１をストローク方向に直列に配置することで、ダンパー２２１を設けた数の分だけ引き込み長さＬ１を長くすることができる。
【００３９】
図６に戻って、捕捉引込機構２０は、第１キャッチ部１００を収容している第１ホルダー１３０と、第２キャッチ部１５０を収容している第２ホルダー１６０と、第１および第２ホルダー１３０、１６０の間に設けられた中間ホルダー４００とを備えている。これらのホルダー１３０、１６０、４００は、上側が開口する断面コ字形状のガイド部２１０の内側に収容されている。これらのホルダー１３０、１６０、４００は、このガイド部２１０の長手方向に沿って引き戸２の開閉方向へと自由にスライド移動するようになっている。
【００４０】
図７は、中間ホルダー４００を単体で示したものであり、（Ａ）は右斜め上側から見た斜視図、（Ｂ）は左斜め上側から見た斜視図である。また、図８は、中間ホルダー４００を単体で示したものであり、（Ａ）は左斜め下側から見た斜視図、（Ｂ）は右斜め下側から見た斜視図である。
【００４１】
中間ホルダー４００は、開閉方向に長尺な形状に形成されている。中間ホルダー４００の上側の部分には、図７（Ａ）（Ｂ）に示すように、ダンパー２２１のダンパーシリンダ２２１ｂを保持するためのダンパー収容溝４６７が形成されている。また、下側の部分には、図８（Ａ）（Ｂ）に示すように、引張ばね収容溝４６１が形成されている。
【００４２】
ダンパー収容溝４６７は。開閉方向に亘って延在し、ダンパー２２１のダンパーシリンダ２２１ｂの外形に合わせて円弧状に形成されている。このダンパー収容溝４６７内には、ダンパーシリンダ２２１ｂが組み込まれ、ダンパー２２１の上下左右の位置が規制される。
【００４３】
また、中間ホルダー４００の戸閉側の端部には、ダンパーのダンパーロッド２２１ａを下側からスライド自在に支持する支持部４６５が形成されている。さらに、ダンパー収容溝４６７の戸開側の端部には、直列に接続されるダンパー２２１のダンパーロッド２２１ａの先端部が固定されるダンパー受け部４６８が設けられている。これらの支持部４６５およびダンパー受け部４６８は、ダンパー収容溝４６７内に組み込まれたダンパー２２１の開閉方向の位置を規制する機能も果たしている。
【００４４】
引張ばね収容溝４６１は、開閉方向に亘って延在し、引張ばね２２６（図６参照）がその内部に入り込むようになっている。また、引張ばね収容溝４６１の戸開側の端部には、引張ばね２２６の一端が取り付けられる２つのばね受け４２７が設けられている。
【００４５】
２つのダンパーのうちの戸閉側のダンパー２２１は、図６に示すように、中間ホルダー４００に取り付けられる。また、ダンパーロッド２２１ａの先端部は、第１内包ホルダー１３０に設けられた受け部に固定される。また、戸開側のダンパー２２１は、第２内包ホルダー１６０のダンパー収容溝内に組み込まれ、そのダンパーロッド２２１ａの先端部は、中間ホルダー４００のダンパー受け部４６８に固定される。
【００４６】
一方、２つの引張ばねのうち戸閉側のばね２２６は、戸閉側の一端が第１内包ホルダー１３０のばね受けに固定され、戸開側の他端が中間ホルダー４００のばね受け４２７に固定される。また、戸開側のばね２２６は、戸閉側の一端が中間ホルダー４００のばね受け４２７に固定され、戸開側の他端が第２内包ホルダー１６０のばね受けに固定される。
【００４７】
これにより、第１内包ホルダー１３０、中間ホルダー４００、第２内包ホルダー１６０は、２つのダンパー２２１および２つのばね２２６によって引き戸２の開閉方向に連結される。
【００４８】
上述した中間ホルダー４００と、これに取り付けられるダンパー２２１およびばね２２６は、１つのユニットとして構成されている。すなわち、図９に示すように、引き戸２の引き込み長さＬ１（図５参照）をより長く確保するために、ダンパー２２１をさらに１つ追加して３つのダンパーで捕捉引込機構を構成しようとする場合、この１ユニットを追加で加えることで可能となる。このようにユニット化することで、ガイド部２１０の長さを長くするだけで、複数個のダンパーを使用した捕捉引込機構を製作することができる。
【００４９】
本発明の実施の形態に係る開閉体緩衝装置によれば、開閉方向に延在するガイドレール１に取り付けられる被捕捉部材１１と、引き戸２に取り付けられ、ガイドレール１に沿って引き戸２と共に開閉方向へ移動し、被捕捉部材１１が取り付けられた所定の位置まで引き戸２が移動したときに被捕捉部材１１を捕捉する捕捉引込機構２０とを備え、捕捉引込機構２０には、被捕捉部材１１を捕捉したときに引き戸２を強制的に開閉方向へと移動させるばね２２６と、ばね２２６の付勢力を緩衝する直動式のダンパー２２１とが設けられ、ダンパー２２１のストローク方向が引き戸２の開閉方向に向けられて、このストローク方向に２つのダンパー２２１が直列に配置されているので、ストロークの短いダンパー２２１を複数用いて引き戸２の引き込み長さＬ１（Ｌ２＋Ｌ２）を長くすることができる。
【００５０】
また、使用するダンパー２２１の径方向の大きさが変わらないので、捕捉引込機構２０の長手方向の長さは長くなるが、径方向における外形は大きくならない。そのため、引き込み長さＬ１に関係なく、同じ大きさ（同じ断面形状）のガイドレール１を使用することができる。その結果、複数種類のガイドレールを引き込み長さＬ１によって管理する必要がなく、部品の共通化を図れる。
【００５１】
さらに、従来と同じ大きさのガイドレール１を使用できるので、ガイドレール１を含めた引き戸装置全体の意匠性を損なうことなくそのままにすることができる。
【００５２】
また、２つ以上のダンパーを用いることで、開閉体緩衝装置としての最適な緩衝力に調整し易くなる。１本のダンパーで緩衝力を調整しようとすると、ダンパー内のオイル粘度等で調整するしかない。これに対し、２つ以上のダンパーを使用することができれば、様々なダンパーを組み合わせて使用することで緩衝力を調整することができる。そのため、最適な緩衝力を容易に得ることができるようになる。その結果、重い扉には大きな緩衝力を作用させ、軽い扉には小さな緩衝力を作用させるなど、扉に合わせて緩衝力を調整したりすることができる。
【００５３】
また、捕捉引込機構２０内で開閉方向に移動可能な中間ホルダー４００、中間ホルダー４００に取り付けられるダンパー２２１、およびばね２２６が１ユニットとして構成されているので、２つ以上のダンパーを用いて捕捉引込機構を構成する場合に、このユニットを追加すればよくなる。そのため、引き込み長さＬ１の長い捕捉引込機構を部品の種類を増やすことなく簡単に構成することができる。
【００５４】
さらに、２つのダンパーは、それぞれストロークの同じものが使用されているので、使用するダンパーの種類を増やすことなく捕捉引込機構を構成することができる。
【００５５】
以上、本発明の実施の形態に係る開閉体緩衝装置について述べたが、本発明は既述の実施形態に限定されるものではなく、本発明の技術思想に基づいて各種の変形および変更が可能である。
例えば、本実施の形態では、引き戸２について記載しているが、これに限定されるものではない。例えば、抽斗や観音開きの戸などを開閉する場合であっても、戸を強制的に閉じる方向に付勢する装置であれば、本発明を利用することができる。
【００５６】
また、本実施の形態では、引き戸の上部に開閉体緩衝装置１０を設けているが、下部に設けることもできる。すなわち、ガイドレール１を開口部の下縁部に取り付けてある場合であっても、本発明に係る開閉体緩衝装置１０をその下部に取り付けるようにしてもよい。
【００５７】
また、本実施の形態では、引張ばね２２６および圧縮コイルばね１１３を、弾性体であるばねとして記載したが、ばねに限定されない。すなわち、弾性によって付勢力を生じさせるものであれば本発明に使用することができる。
【００５８】
さらに、本実施形態では、ガイドレール１側に被捕捉部材１１を取り付け、引き戸２側に捕捉引込機構２０を取り付けているが、逆であっても構わない。これによれば、引き戸２の構造に合わせて、取り付け易い方に捕捉引込機構２０を構成することができ、設計自由度が広がる。
【００５９】
さらにまた、本実施形態では、引き戸２を開方向および閉方向のいずれにも引き込むことができる捕捉引込機構について説明したが、開方向或いは閉方向のどちらか一方のみに引き戸２を引き込むようにすることもできる。この場合、第１キャッチ部１００または第２キャッチ部１５０のいずれかの機能を動作させないようにすることで実現することができる。
【００６１】
さらに、本実施の形態では、２つのダンパー２２１のダンパーロッド２２１ａがそれぞれ戸閉側に向くようにして取り付けられているが、それぞれのダンパーロッド２２１ａが逆に向くようにして取り付けることもできる。また、２つのダンパー２２１のダンパーロッド２２１ａがそれぞれ戸開側に向くようにして取り付けることもできる。すなわち、ダンパー２２１の向きは、構造や組立性などの観点から変更することができる。
【００６２】
例えば、図１０に示すように、中間ホルダー６００に２つのダンパー収容溝４６７を設けて、２つのダンパー２２１が中間ホルダー６００に組み付けられるようにする。この中間ホルダー６００は、長手方向における中央部を挟んで対称に形成されており、戸閉側と戸開側を逆向きにしても使用できるようになっている。これにより、第２内包ホルダーは、第１内包ホルダー１３０と同一構造にすることができ、さらなる部品の共通化を図ることができる。
【００６３】
一方、本実施の形態では、２つのダンパー２２１としてそれぞれ同一のものを使用しているが、ストローク等の特性が異なるダンパーを２つ用いることもできる。例えば、２つのダンパーのうち、１つのダンパーに緩衝力の強いものを使用し、他方に緩衝力の弱いものを使用する。これにより、緩衝力の弱いダンパーがはじめに動作し、その後に緩衝力の強いダンパーが動作するようになるので、引き戸２が完全に閉じる（開く）際で、より柔らかく引き戸を移動させることができる。このように、引き込み長さＬ１の前半と後半で緩衝力を変えることができる。
【符号の説明】
【００６４】
１  ガイドレール
１ａ  転動面
２  引き戸（開閉体）
５  吊り下げ部
１０  開閉体緩衝装置
１１  被捕捉部材
１１ａ  突部
２０  捕捉引込機構
２１  ガイドローラ
１００  第１キャッチ部
１３０  第１内包ホルダー
１５０  第２キャッチ部
１６０  第２内包ホルダー
２１０  ガイド部
２２１  ダンパー
２２１ａ  ダンパーロッド
２２１ｂ  ダンパーシリンダ
２２６  引張ばね
３００  吊り下げ部
４００  中間ホルダー
４２７  ばね受け
４６１  引張ばね収容溝
４６７  ダンパー収容溝
４６５  支持部
４６８  ダンパー受け部
Ｌ１  引き戸２を引き込む長さ
Ｌ２  ダンパーストローク長さ
【図１】
0006455883.tif 000002
【図２】
0006455883.tif 000003
【図３】
0006455883.tif 000004
【図４】
0006455883.tif 000005
【図５】
0006455883.tif 000006
【図６】
0006455883.tif 000007
【図７】
0006455883.tif 000008
【図８】
0006455883.tif 000009
【図９】
0006455883.tif 000010
【図１０】
0006455883.tif 000011